(57)【要約】【課題】特殊な眼鏡やビュアーを使わずに見ることのできる立体像を撮影することを可能にする。【解決手段】被写体の像を一枚ないし二枚の凸レンズによってレンチキュラーレンズに投影し、投影された光線をレンチキュラーレンズを通して位置と角度分布の情報として撮像面にて記録する。こうして得られた立体像は、スリット列等を利用して作成した線光源群をバックライトにして、透過光を観察する簡単な表示装置によって見ることができる。【選択図】  図９
2004239931.tif 000002
【特許請求の範囲】
【請求項１】
対物レンズ（凸レンズ）と、面上にシリンドリカルレンズが並んでなるレンチキュラーレンズと、その撮像面が該レンチキュラーレンズに平行に、該シリンドリカルレンズの焦点距離にほぼ等しい間隔をもって置かれた撮像手段と、該対物レンズと該レンチキュラーレンズの間の、該対物レンズから該対物レンズの焦点距離より近い位置に置かれた、該シリンドリカルレンズの軸と垂直な水平スリットを有する遮光板からなり、被写体の像が該対物レンズ、該水平スリットと該レンチキュラーレンズを通って該撮像手段に投影されることを特徴とする立体像撮影装置。
【請求項２】
対物レンズ（凸レンズ）と、面上にスリットが平行に並んだスリット板と、その撮像面が該スリット板に面して平行に置かれた撮像手段と、該対物レンズと該スリット板の間の、該対物レンズから該対物レンズの焦点距離より近い位置に置かれた、該スリット板のスリットと垂直な水平スリットを有する遮光板からなり、被写体の像が該対物レンズ、該水平スリットと該スリット板を通って該撮像手段に投影されることを特徴とする立体像撮影装置。
【請求項３】
対物レンズ（凸レンズ）と、該対物レンズから所定の距離をおいて置かれた第２の凸レンズと、第２の凸レンズに面して置かれた、面上にシリンドリカルレンズが並んでなるレンチキュラーレンズと、その撮像面が該レンチキュラーレンズに平行に、該シリンドリカルレンズの焦点距離にほぼ等しい間隔をもって置かれた撮像手段と、該対物レンズと第２の凸レンズの間の、該対物レンズから該対物レンズの焦点距離より近い位置に置かれた、該シリンドリカルレンズの軸と垂直な水平スリットを有する遮光板からなり、かつ該対物レンズと第２の凸レンズの間隔は両レンズの焦点距離の和に等しく、被写体の像が該対物レンズ、該水平スリット、第２の凸レンズと該レンチキュラーレンズを通って該撮像手段に投影されることを特徴とする立体像撮影装置。
【請求項４】
対物レンズ（凸レンズ）と、該対物レンズから所定の距離をおいて置かれた第２の凸レンズと、第２の凸レンズに面して置かれた、面上にスリットが平行に並んだスリット板と、その撮像面が該スリット板に面して平行に置かれた撮像手段と、該対物レンズと第２の凸レンズの間の、該対物レンズから該対物レンズの焦点距離より近い位置に置かれた、該スリット板のスリットと垂直な水平スリットを有する遮光板からなり、かつ該対物レンズと第２の凸レンズの間隔は両レンズの焦点距離の和に等しく、被写体の像が該対物レンズ、該水平スリット、第２の凸レンズと該スリット板を通って該撮像手段に投影されることを特徴とする立体像撮影装置。
【請求項５】
対物レンズ（凸レンズ）と第２の凸レンズの焦点距離が等しいことを特徴とする請求項３に記載の立体像撮影装置。
【請求項６】
対物レンズ（凸レンズ）と第２の凸レンズの焦点距離が等しいことを特徴とする請求項４に記載の立体像撮影装置。
【請求項７】
透明な板ないしフィルムの一面に平行なスリット状の透過部を残して他の部分を遮光する遮光層を形成し、他の一面にポジ現像が可能な感光層を形成してなる立体写真撮影用フィルムないし乾板。
【請求項８】
対物レンズ（凸レンズ）と、該対物レンズから所定の距離をおいて置かれた第２の凸レンズと、第２の凸レンズに面して置かれた、面上に凸レンズが並んでなるレンズシートと、その撮像面が該レンズシートに平行に、該レンズシートの凸レンズの焦点距離にほぼ等しい間隔をもって置かれた撮像手段とからなり、該対物レンズと第２の凸レンズの間隔は両レンズの焦点距離の和に等しく、被写体の像が該対物レンズ、第２の凸レンズと該レンズシートを通って該撮像手段に投影されることを特徴とする立体像撮影装置。
【請求項９】
対物レンズ（凸レンズ）と、該対物レンズから所定の距離をおいて置かれた第２の凸レンズと、第２の凸レンズに面して置かれた、面上にピンホールが並んでなるピンホール板と、その撮像面が該ピンホール板に平行に置かれた撮像手段とからなり、該対物レンズと第２の凸レンズの間隔は両レンズの焦点距離の和に等しく、被写体の像が該対物レンズ、第２の凸レンズと該ピンホール板を通って該撮像手段に投影されることを特徴とする立体像撮影装置。
【請求項１０】
対物レンズ（凸レンズ）と第２の凸レンズの焦点距離が等しいことを特徴とする請求項８に記載の立体像撮影装置。
【請求項１１】
対物レンズ（凸レンズ）と第２の凸レンズの焦点距離が等しいことを特徴とする請求項９に記載の立体像撮影装置。
【請求項１２】
透明な板ないしフィルムの一面に所定の間隔で並んだピンホール状の透過部を残して他の部分を遮光する遮光層を形成し、他の一面にポジ現像が可能な感光層を形成してなる立体写真撮影用フィルムないし乾板。
【請求項１３】
請求項１〜６および請求項８〜１１の立体像撮影装置において、対物レンズに近接して、対物レンズの一部を残して他を遮蔽する遮蔽板を置き、該遮蔽板の開口部を移動しつつ被写体を変化させて撮影することで、見る角度によって被写体の変化を伴う立体像を撮影することを特徴とする立体像撮影方法。
【発明の詳細な説明】
【０００１】
【発明の属する技術分野】
本発明は、立体像を撮影する装置に関する。
【０００２】
【従来の技術】
従来、立体像を撮影、表示するには、水平方向に所定の距離を離して置いた二台のカメラで撮影し、偏光ガラスやカラーフィルタなどを用いた眼鏡や、専用のビュアーを使って二枚の撮影像を左右それぞれの目で見えるようにする方法や、レンチキュラーレンズを使って、それぞれ異なる角度から見えるようにしたものがある。
【０００３】
また、特殊なビュアーを使わずに見ることができる立体像を撮影、表示する方法としては、平面状に並んだ凸レンズ群を使って被写体の写真を撮り、同様の凸レンズ群を使って再生するインテグラルフォトグラフィや、ホログラムなどがある。
【０００４】
【発明が解決しようとする課題】
眼鏡やビュアーを使って見なければならないものは、不特定の人に立体像を提供するにははなはだ不便である。またレンチキュラーレンズを使って、複数の像を異なる角度から見えるようにしたものは、見る角度によって数枚の写真が切り替わって見えるため、見る位置によっては二重の像が見えたり、観察者が移動しながら見る時に不自然さを感じることがあり、また良好な観察ができる角度範囲が比較的狭いという問題もある。
【０００５】
またインテグラルフォトグラフィは、撮影機の製作が容易でない上にそのままでは遠近の逆転した不自然な立体像となってしまう問題があり、ホログラムは更に撮影が難しく、簡単な装置で気軽に立体像を楽しむことは困難である。
【０００６】
本発明者は、これらの課題を解決すべく、従来とは異なる立体像の撮影及び表示方法を考案し、すでに特願２００２−１１２８２４に出願済みであるが、その後さらに検討を続け、該出願特許の表示装置で表示ができる立体像を、より簡単に撮影できる撮影装置を発明するに至った。
【０００７】
【課題を解決するための手段】
本発明の請求項１は、対物レンズ（凸レンズ）と、面上にシリンドリカルレンズが並んでなるレンチキュラーレンズと、その撮像面が該レンチキュラーレンズに平行に、該シリンドリカルレンズの焦点距離にほぼ等しい間隔をもって置かれた撮像手段と、該対物レンズと該レンチキュラーレンズの間の、該対物レンズから該対物レンズの焦点距離より近い位置に置かれた、該シリンドリカルレンズの軸と垂直な水平スリットを有する遮光板からなり、被写体の像が該対物レンズ、該水平スリットと該レンチキュラーレンズを通って該撮像手段に投影されることを特徴とする立体像撮影装置である。
【０００８】
本発明の請求項２は、対物レンズ（凸レンズ）と、面上にスリットが平行に並んだスリット板と、その撮像面が該スリット板に面して平行に置かれた撮像手段と、該対物レンズと該スリット板の間の、該対物レンズから該対物レンズの焦点距離より近い位置に置かれた、該スリット板のスリットと垂直な水平スリットを有する遮光板からなり、被写体の像が該対物レンズ、該水平スリットと該スリット板を通って該撮像手段に投影されることを特徴とする立体像撮影装置である。
【０００９】
本発明の請求項３は、対物レンズ（凸レンズ）と、該対物レンズから所定の距離をおいて置かれた第２の凸レンズと、第２の凸レンズに面して置かれた、面上にシリンドリカルレンズが並んでなるレンチキュラーレンズと、その撮像面が該レンチキュラーレンズに平行に、該シリンドリカルレンズの焦点距離にほぼ等しい間隔をもって置かれた撮像手段と、該対物レンズと第２の凸レンズの間の、該対物レンズから該対物レンズの焦点距離より近い位置に置かれた、該シリンドリカルレンズの軸と垂直な水平スリットを有する遮光板からなり、かつ該対物レンズと第２の凸レンズの間隔は両レンズの焦点距離の和に等しく、被写体の像が該対物レンズ、該水平スリット、第２の凸レンズと該レンチキュラーレンズを通って該撮像手段に投影されることを特徴とする立体像撮影装置である。
【００１０】
本発明の請求項４は、対物レンズ（凸レンズ）と、該対物レンズから所定の距離をおいて置かれた第２の凸レンズと、第２の凸レンズに面して置かれた、面上にスリットが平行に並んだスリット板と、その撮像面が該スリット板に面して平行に置かれた撮像手段と、該対物レンズと第２の凸レンズの間の、該対物レンズから該対物レンズの焦点距離より近い位置に置かれた、該スリット板のスリットと垂直な水平スリットを有する遮光板からなり、かつ該対物レンズと第２の凸レンズの間隔は両レンズの焦点距離の和に等しく、被写体の像が該対物レンズ、該水平スリット、第２の凸レンズと該スリット板を通って該撮像手段に投影されることを特徴とする立体像撮影装置である。
【００１１】
本発明の請求項５は、対物レンズ（凸レンズ）と第２の凸レンズの焦点距離が等しいことを特徴とする請求項３に記載の立体像撮影装置である。
【００１２】
本発明の請求項６は、対物レンズ（凸レンズ）と第２の凸レンズの焦点距離が等しいことを特徴とする請求項４に記載の立体像撮影装置である。
【００１３】
本発明の請求項７は、請求項６の装置で立体写真を撮影するために便利な撮影用フィルムないし乾板であり、透明な板ないしフィルムの一面に平行なスリット状の透過部を残して他の部分を遮光する遮光層を形成し、他の一面にポジ現像が可能な感光層を形成してなる立体写真撮影用フィルムないし乾板である。
【００１４】
本発明の請求項８は、対物レンズ（凸レンズ）と、該対物レンズから所定の距離をおいて置かれた第２の凸レンズと、第２の凸レンズに面して置かれた、面上に凸レンズが並んでなるレンズシートと、その撮像面が該レンズシートに平行に、該レンズシートの凸レンズの焦点距離にほぼ等しい間隔をもって置かれた撮像手段とからなり、該対物レンズと第２の凸レンズの間隔は両レンズの焦点距離の和に等しく、被写体の像が該対物レンズ、第２の凸レンズと該レンズシートを通って該撮像手段に投影されることを特徴とする立体像撮影装置である。
【００１５】
本発明の請求項９は、対物レンズ（凸レンズ）と、該対物レンズから所定の距離をおいて置かれた第２の凸レンズと、第２の凸レンズに面して置かれた、面上にピンホールが並んでなるピンホール板と、その撮像面が該ピンホール板に平行に置かれた撮像手段とからなり、該対物レンズと第２の凸レンズの間隔は両レンズの焦点距離の和に等しく、被写体の像が該対物レンズ、第２の凸レンズと該ピンホール板を通って該撮像手段に投影されることを特徴とする立体像撮影装置である。
【００１６】
本発明の請求項１０は、対物レンズ（凸レンズ）と第２の凸レンズの焦点距離が等しいことを特徴とする請求項８に記載の立体像撮影装置である。
【００１７】
本発明の請求項１１は、対物レンズ（凸レンズ）と第２の凸レンズの焦点距離が等しいことを特徴とする請求項９に記載の立体像撮影装置である。
【００１８】
本発明の請求項１２は、請求項１１の装置で立体写真を撮影するために便利な撮影用フィルムないし乾板であり、透明な板ないしフィルムの一面に所定の間隔で並んだピンホール状の透過部を残して他の部分を遮光する遮光層を形成し、他の一面にポジ現像が可能な感光層を形成してなる立体写真撮影用フィルムないし乾板である。
【００１９】
本発明の請求項１３は、請求項１〜６および請求項８〜１１の立体像撮影装置において、対物レンズに近接して、対物レンズの一部を残して他を遮蔽する遮蔽板を置き、該遮蔽板の開口部を移動しつつ被写体を変化させて撮影することで、見る角度によって被写体の変化を伴う立体像を撮影することを特徴とする立体像撮影方法である。
【００２０】
【発明の実施の形態】
図１に本発明請求項１の立体像撮影装置の光学系の斜視図を示す。なお以下の各実施例はその光学系のみを表し、光学系を収納するケースや構造材は省略する。本実施例は対物レンズ（凸レンズ）１と、面上にシリンドリカルレンズが並んでなるレンチキュラーレンズ４と、撮像面５を持つ撮像手段と、水平スリット２を有する遮光板３からなる。ここでスリット２をｘ軸と平行に、ｘｚ面が水平面になるように直交座標をとると、レンチキュラーレンズ４はｙ軸と平行なシリンドリカルレンズがｘ方向に並んだものとなる。視野角の広い立体像を撮影するためには、対物レンズ１はその焦点距離に対してｘ方向の幅が広いものを使用するのが好ましい。このようなレンズは通常大型かつ肉厚で高価なものとなるが、フレネルレンズを使うことで安価にすることができる。撮像手段は感光フィルムや写真乾板あるいはＣＣＤなどの撮像素子であり、感光フィルムや写真乾板では撮像面５は感光面を表す。感光フィルムや写真乾板を用いて撮影する場合にはさらに露光を制御する手段が必要があるが、これには遮光板３に近接して水平スリット２を開閉するシャッターを設けるか、レンチキュラーレンズ４の前面にフォーカルプレーンシャッターを設けるなどすればよい。
【００２１】
図２にｘｚ面の平面図を示し水平面内での機能を説明する。対物レンズ１の焦点距離をｆ１とし、対物レンズ１と撮像面５の距離をＦ２とするとき、対物レンズ１の前方に  １／ｆ１＝１／Ｆ１＋１／Ｆ２  である距離Ｆ１だけ離れた位置に、対物レンズ１による撮像面５の像６が存在し、この位置がピント面となってその前後に存在する被写体の像が撮像面に投影される。この様子を図４の部分拡大図を使ってさらに説明する。撮像面５はレンチキュラーレンズ４から各シリンドリカルレンズの焦点距離にほぼ等しい距離だけ離れているため、撮像面５には各シリンドリカルレンズに入射する光線の角度分布に対応するものが、それぞれのシリンドリカルレンズに対応する像として形成される。厳密にはレンチキュラーレンズ４と撮像面５の距離がシリンドリカルレンズの焦点距離に等しいときに各投影像は入射する光線の角度分布となり、このとき最も焦点深度が深い立体像が得られる。逆にレンチキュラーレンズ４と撮像面５の距離をシリンドリカルレンズの焦点距離とは若干異なるものとすることにより、特定のピント面を有する立体像を得ることができる。ただこの距離をシリンドリカルレンズの焦点距離と大きく異なるものとすると焦点深度が浅くなりすぎて好ましくない。
【００２２】
図３にｙｚ面の平面図を示し鉛直面内での機能を説明する。ｘｚ面内と同様に対物レンズ１によって６の位置の像が撮像面５に投影されるが、レンチキュラーレンズ４はｙｚ面内でレンズ機能を有さないため投影像は平面的な像となる。この際、遮光板３無しでは極めて焦点深度が浅い像となるが、立体像はある程度深い焦点深度がなければ平面像に対する優位性が無く、存在価値が無くなって好ましくない。このため水平スリット２を有する遮光板３で光線を絞り、焦点深度を稼ぐことが重要である。遮光板３は対物レンズ１から対物レンズ１の焦点距離ｆ１より近い位置に置かれなければならず、このとき、対物レンズ１と遮光板３の距離をＦ３とすると、対物レンズ１から撮像面５のある側に  １／ｆ１＝１／Ｆ３−１／Ｆ４  である距離Ｆ４だけ離れた位置に、対物レンズ１による水平スリット２の像９が存在し、この位置が観測者の目の位置となって、近くにあるものが大きく、遠くのものが小さく見える平面像の遠近感が決定される。
【００２３】
図１の立体像撮影装置において、レンチキュラーレンズ４はｙ軸に平行なスリットがｘ方向に並んだスリット板に置き換えることができる。図５はその様子を示したものである。スリット板１０はｙ軸に平行なスリットが等間隔でｘ方向に並んだもので、これが図１のレンチキュラーレンズ４の代わりに撮像面５の前に置かれる。スリット板１０と撮像面５は平行で、その間隔とスリット板１０のスリットのピッチの比が、対物レンズ１とスリット板１０の距離と対物レンズ１の幅の比に等しくすれば、撮像面５の全面を有効に使うことができる。またスリット板１０と撮像面５の間隔を等しく保つためには、両者の間に透明な板を置き、スリット板１０と撮像面５をその透明板に密着させて位置決めをする方法がある。この場合スリット板１０は、該透明板の片面にスリット列を有する遮光パターンを印刷するなりして遮光層を形成したもので代用することができ、この場合は該遮光層がスリット板であると見なすことができる。
【００２４】
レンチキュラーレンズ４を使った請求項１の立体像撮影装置では、シリンドリカルレンズの集束作用を使って入射光の角度分布に対する像を作るのに対し、スリット板１０を用いる請求項２の立体像撮影装置においては、ピンホールレンズの原理によって同様の像を形成する。後者では焦点深度が深い像が得られる一方、像の解像度がスリットの幅で決まってしまうためスリット幅を十分狭くとる必要があり、このためレンチキュラーレンズ４を使う前者に比べて使える光の量が著しく少なくなるという問題がある。このため動きのある被写体のように露光時間を長くとれない場合には、レンチキュラーレンズ４を用いる請求項１の立体像撮影装置の方が適している。
【００２５】
請求項１の立体像撮影装置において、より焦点深度の深い立体像を撮影するためには、図６に示すようなレンチキュラーレンズ１１を用いる方法がある。レンチキュラーレンズ１１は、シリンドリカルレンズ１２と遮光部１３が交互に並んだもので、シリンドリカルレンズ１２の並ぶ間隔はレンチキュラーレンズ４と同じである。このように有効なシリンドリカルレンズの幅を減少する事で焦点深度は深くなり、レンズの収差も小さくできるので画質の向上も期待できる。一方使用する光量は減少するが、スリット板を使う時のような著しい減少ではないので、若干感度が低下する程度の副作用で済む。
【００２６】
本立体像撮影装置によって撮影された立体像は、特願２００２−１１２８２４に記載されている正の線描立体像にあたり、同明細書に示された立体像表示装置によって表示することができる。さらに特開２００１−３１１９０９に記載の表示装置によっても表示することが可能である。
【００２７】
該立体像を表示する装置の一例を図７に示す。本装置はライトボックス１６と透明板１５、立体像を記録した透過光制御手段１４からなる。透明板１５には片面に平行なスリット状の透過部を残して他の部分を遮光する遮光層１７が形成され、透過光制御手段１４は透明フィルム上に本発明の立体像表示装置で撮影した像が記録されたもの、あるいは同様の像を表示する液晶パネルなどである。これらは図７左に示したようにライトボックス１６の発光面１８の上に重ねて置かれるが、このとき撮影像の各シリンドリカルレンズないしスリットに対応する短冊状の各像に対し、遮光層１７のスリットが１対１で対応する。
【００２８】
本表示装置断面の拡大図を図８に示す。ライトボックスの光はスリットを通るものを除いて遮光層１７に遮られ、スリットを通った光は透明板１５を通って透過光制御手段１４に至るが、透過光制御手段１４には撮影の際に、シリンドリカルレンズないしスリットによって光線の角度分布が記録されており、これを通過した光によってこの角度分布が再現される。透明板１５の遮光層１７は、外光の反射によってコントラストが低下しないように黒色のインクで形成されるのが好ましいが、一方で遮光層１７によって発光面１８の光が吸収されてしまっては照明光の利用率が著しく低くなって好ましくない。そこで図８では、遮光層１７の発光面１８に面する側に反射層１９を形成して照明光を反射し、反射光をさらに発光面１８で反射して照明光に加えることで照明光の利用率を改善している。
【００２９】
本発明を実施して立体像を楽しむ簡単な方法は、請求項１ないし請求項２の立体像撮影装置において、撮像手段にシート状のリバーサルフィルムを用いて撮影し、これを現像してポジ像のフィルムを得、これを図７の装置の透過光制御手段１４に用いることである。このとき遮光層１７のスリットの位置とピッチｐは、光線の角度分布が正しく再生されるように決定されなければならない。具体的には図２において対物レンズ１に垂直に入射した光線８が、図８において表示面から垂直に出射する光線とならなければならない。撮影時、対物レンズ１によって光線８はいったん焦点７に集束され、図４に示すようにレンチキュラーレンズ４には垂直とは異なる角度で入射し、撮像面上ではシリンドリカルレンズの中心からｄだけずれた位置に達する。このため表示装置における遮光層１７のスリットピッチｐは、撮影装置のレンチキュラーレンズ４ないしスリット板１０のピッチより僅かに大きくしなければならない。
【００３０】
ｄは容易に計算できるのでスリットピッチｐを求めるのは難しくないが、もしレンチキュラーレンズ４のピッチとスリットピッチｐが等しくできればなお簡便になり好ましい。請求項２の撮影装置を使って撮影する場合には、撮影時のスリット板のピッチと表示装置のスリットピッチｐが等しければ、撮影装置に使ったスリット板と同じパターンが表示装置でも使えるためなおさら便利で好ましい。これを可能にしたのが請求項３および請求項４の立体像撮影装置である。
【００３１】
図９は図１の装置に第２の凸レンズ２０を加えた請求項３の立体像撮影装置である。本装置において、対物レンズ１と第２の凸レンズ２０の間隔は両レンズの焦点距離の和に等しい。図１０に平面図を示すように、対物レンズ１に垂直に入射した光線は対物レンズ１の焦点距離ｆ１だけ離れた焦点７に集束するが、焦点７は凸レンズ２０からその焦点距離ｆ２だけ離れており、凸レンズ２０の焦点にもなっているから、凸レンズ２０によってｚ軸に平行な光線、すなわちレンチキュラーレンズ４に垂直に入射する光線に変換される。本装置で撮影される立体像には図４のｄに当たるずれが存在しない。これはレンチキュラーレンズ４の代わりにスリット板１０を使用する請求項４の立体像撮影装置についても同様である。
【００３２】
請求項３，４の立体像撮影装置においては、撮像面５へ投影倍率、すなわち撮影倍率は第２の凸レンズ２０の焦点距離ｆ２と対物レンズの焦点距離ｆ１の比ｆ２／ｆ１となる。従ってｆ１とｆ２が等しい請求項５，６の立体像撮影装置は等倍像を撮影する撮影装置であるが、このような等倍撮影装置は、撮影像の表示装置を構成する際に特別な意味を持っている。
【００３３】
図７，８の表示装置において透明板１５の厚さは表示される立体像の遠近感に関係し、より厚くすれば遠近感が強調された立体像となり、逆に薄くすれば遠近感が抑えられた立体像となる。最もリアルな立体像を表示する厚さは、撮影装置における撮影倍率とレンチキュラーレンズ４の厚さ、ないしスリット板１０と撮像面５の光学的距離などから計算することができるが、請求項５，６のように等倍撮影の場合には特に簡単で、レンチキュラーレンズ４のシリンドリカルレンズ面と撮像面５、ないしスリット板１０と撮像面５の光学的距離が、図８における遮光層１７と透過光制御手段１４の光学的距離に等しくなるように透明板１５の厚さを決めればよい。
【００３４】
このことをさらに詳しく説明する。請求項５の立体像撮影装置において、撮像手段にシート状のリバーサルフィルムを用い、レンチキュラーレンズ４にフィルムを密着するように置いて撮影し、これを現像して図７，８の透過光制御手段１４として使う場合には、透明板１５はレンチキュラーレンズ４と屈折率が等しく厚さも等しいものを用い、遮光層１７のスリットピッチｐはレンチキュラーレンズ４のシリンドリカルレンズのピッチに等しくすればリアルな立体像が表示できる。
【００３５】
請求項６の立体像撮影装置においては、同様に撮像手段にシート状のリバーサルフィルムを用い、スリット板１０とフィルムの間に透明板をおいてスリット板１０とフィルムを透明板に密着するように置いて撮影し、これを現像して図７，８の透過光制御手段１４として使う場合には、透明板１５は撮影時の透明板と屈折率が等しく厚さも等しいものを用い、遮光層１７のスリットピッチｐはスリット板１０のスリットのピッチに等しくすればリアルな立体像が表示できる。
【００３６】
さらに請求項６の立体像撮影装置において、請求項７の写真フィルムないし写真乾板を使うことで簡便に立体写真を楽しむことができる。請求項７の実施例を図１１に示した。本写真乾板は図１２に断面図を示すように、透明板２１の片面に平行なスリット状の透過部を残して他の部分を遮光する遮光層２２を有し、反対の面にポジ現像が可能な感光層２３が形成されている。通常透明板２１の厚さはスリットピッチと同程度であるので、スリットのピッチが小さくなれば厚さも薄くなりフィルム状の形態となる。
【００３７】
本写真乾板ないし写真フィルムは請求項４ないし６のスリット板１０と撮像面５を一体化したものであり、これらに置き換えて立体像を撮影することができる。さらに撮影後現像したものは図７の表示装置の透明板１５と透過光制御手段１４を一体化したものになっているため、そのままライトボックス１６の上に置くだけで立体像を見ることができる。本写真乾板ないし写真フィルムは請求項６の等倍像を撮影する装置においてのみリアルな立体像の撮影、表示を可能にする。拡大倍率が１でない請求項４の装置に使えば、遠近感が実際より強調ないし弱められた立体像が表示されることになる。
【００３８】
このように請求項７の写真フィルムないし写真乾板を使えば、遮光層１７のスリットと透過光制御手段１４上の記録像の位置合わせなどの煩雑な手続きを省くことができる。なお請求項７において図８の反射層１９を設けて光線利用率を高めたい場合には、図１３に断面図を示すように透明板２１の遮光層２２に重ねて反射層２４を設け、その上に洗浄や薬品処理によって除去できる遮光層２５を重ねて反射層２４を覆った写真フィルムないし写真乾板を作り、撮影、現像後に遮光層２５を除去すれば図８の反射層１９に対応する反射層２４を持った表示装置が構成できる。
【００３９】
以上説明した立体像撮影装置は水平面内においてのみ立体感を有する立体像を撮影するものであるが、基本的に同様の構造を有する装置を使って上下の視差に対しても立体感を示す立体像を撮影することができる。このためには前述の立体像撮影装置において、レンチキュラーレンズ４ないしスリット板１０を、面上に凸レンズないしピンホールが並んでなるレンズシートないしピンホール板に置き換え、水平スリット２を有する遮光板３を取り除けばよい。
【００４０】
図１５は請求項８の立体像撮影装置の光学系である。本実施例は対物レンズ（凸レンズ）３０と、第２の凸レンズ３１と、面上に凸レンズが並んでなるレンズシート３２と、撮像面３３を持つ撮像手段とからなり、対物レンズ３０と第２の凸レンズ３１の間隔は両レンズの焦点距離の和に等しい。本装置では図１０に示した撮影原理がｙｚ面内でも成り立ち、上下方向にも立体感を持った立体像が撮影できる。本装置はインテグラルフォトグラフィによる立体像撮影装置の一種と考えられるが、撮影倍率が第２の凸レンズ３１の焦点距離と対物レンズ３０の焦点距離の比で決まるという特徴を持っている。またレンズシート３２はピンホール群が並んだピンホール板に置き換えることができる（請求項９）。
【００４１】
本装置で撮影される立体像は特願２００２−１１２８２４に記載されている正の点描立体像と互換性があり、同明細書に示された立体像表示装置によって表示することができる。また特開２００１−３１１９０９に記載の表示装置によっても表示することができ、例えば図７の表示装置の遮光層１７に形成されたスリット列をピンホール群に変えた装置で表示することができる。このとき図９の装置と同様の理由により、ピンホール群を並べる間隔は容易に決定することができ。さらに対物レンズ３０と凸レンズ３１の焦点距離が等しく、等倍像を撮影する請求項１０，１１の撮影装置においては、透明板１５の厚さも簡単に決定できる。
【００４２】
加えて請求項１１の装置においては、請求項１２のフィルムないし写真乾板を使って簡単に立体写真を撮影、表示することができる。請求項１２の写真乾板は図１１，１２に示した請求項７の写真乾板のスリット状の透過部をピンホール状の透過部に変えたものであり、ピンホール板と撮像手段の機能を一体化したものである。本写真乾板を使い請求項１１の撮影装置を用いて撮影した立体写真は、現像した後ライトボックスに載せるだけで立体像を見ることができる。
【００４３】
本発明の請求項１〜６および請求項８〜１１の立体像撮影装置は、単に立体像を撮影するだけでなく、使い方によってはさらに機能を加えた立体像を撮影することができる。図１４は請求項６の立体像撮影装置を使った請求項１３の撮影方法を示すもので、本実施例では対物レンズと第２の凸レンズにそれぞれフレネルレンズ２６，２７が使われており、スリット板と撮像手段には請求項７の写真乾板２８が使われている。さらに対物レンズ２６を覆うように置かれた遮蔽板２９は開口部を持ち、ｘ軸と平行に動かすことができる。
【００４４】
本装置において、遮蔽板２９を矢印の方向に移動しつつ動きのある被写体を撮影すれば、写真乾板２８にはｘ軸方向の角度分布であると同時に時間変化でもある立体像が記録される。従って写真乾板２８を現像してライトボックスに載せて見れば、見る角度によって被写体が変化するアニメーションのような効果を持った立体像が見えることになる。これは遮蔽板を連続的に動かした例であるが、水平スリット２の前後ないし写真乾板２８の前などにシャッターを設け、遮蔽板２９をその開口部が重ならないように数回動かしつつ、それぞれ全く異なる被写体を撮影すれば、見る角度によっていくつかの異なる被写体が切り替わって見える立体写真を撮ることも可能である。
【００４５】
【発明の効果】
本発明の立体像撮影装置は、簡単な装置で立体像を撮影することができ、撮影した立体像は特殊な眼鏡やビュアーを使うことなく見ることができる。さらに本発明の立体写真撮影用フィルムないし乾板を使えば、特別な表示装置を必要とせずに立体像を見ることができる。さらに本発明の立体像撮影装置は、使用法を工夫することでアニメーション効果のような特殊な機能を持った立体写真を作成することもできる。
【図面の簡単な説明】
【図１】請求項１による立体像撮影装置の実施例である。
【図２】図１の実施例を上方から見た平面図である。
【図３】図１の実施例を側面から見た平面図である。
【図４】図１の実施例の撮影原理を説明する部分拡大図である。
【図５】本発明の請求項２，４，６に使われるスリット板の説明図である。
【図６】本発明の請求項１，３，５に使われるレンチキュラーレンズの一例を説明する図である。
【図７】本発明による撮影像を表示する立体像表示装置の一例である。
【図８】図７の表示装置の原理を説明する部分断面図である。
【図９】請求項３による立体像撮影装置の実施例である。
【図１０】図９の実施例を上方から見た平面図である。
【図１１】請求項７による立体写真撮影用フィルムないし乾板の実施例である。
【図１２】図１１のフィルムないし乾板の部分断面図である。
【図１３】請求項７による立体写真撮影用フィルムないし乾板の他の実施例の部分断面図である。
【図１４】請求項１３による立体像撮影方法を実施する装置の例である。
【図１５】請求項８による立体像撮影装置の実施例である。
【符号の説明】
１  ・・・  対物レンズ（凸レンズ）
２  ・・・  水平スリット
３  ・・・  水平スリットを有する遮光板
４  ・・・  レンチキュラーレンズ
５  ・・・  撮像面
６  ・・・  ピント面
７  ・・・  対物レンズの焦点
８  ・・・  ピント面からｚ軸に平行に進む光線
９  ・・・  対物レンズによる水平スリットの像
１０  ・・・  スリット板
１１  ・・・  シリンドリカルレンズの間に遮光部を有するレンチキュラーレンズ
１２  ・・・  シリンドリカルレンズ
１３  ・・・  遮光部
１４  ・・・  撮影像を記録した透過光制御手段
１５  ・・・  透明板
１６  ・・・  ライトボックス
１７，２２  ・・・  平行に並んだスリット状の透過部を有する遮光層
１８  ・・・  発光面
１９，２４  ・・・  反射層
２０  ・・・  第２の凸レンズ
２１  ・・・  透明板
２３  ・・・  感光層
２５  ・・・  洗浄や薬品処理によって除去できる遮光層
２６  ・・・  対物レンズ（フレネルレンズ）
２７  ・・・  第２の凸レンズ（フレネルレンズ）
２８  ・・・  請求項７の写真乾板
２９  ・・・  開口部を有する遮蔽板
３０  ・・・  対物レンズ（凸レンズ）
３１  ・・・  第２の凸レンズ
３２  ・・・  レンズシート
３３  ・・・  撮像面
【図１】
2004239931.tif 000003
【図２】
2004239931.tif 000004
【図３】
2004239931.tif 000005
【図４】
2004239931.tif 000006
【図５】
2004239931.tif 000007
【図６】
2004239931.tif 000008
【図７】
2004239931.tif 000009
【図８】
2004239931.tif 000010
【図９】
2004239931.tif 000011
【図１０】
2004239931.tif 000012
【図１１】
2004239931.tif 000013
【図１２】
2004239931.tif 000014
【図１３】
2004239931.tif 000015
【図１４】
2004239931.tif 000016
【図１５】
2004239931.tif 000017